(57)【要約】      （修正有）【課題】洗濯物の取り込み作業の負担を軽減させ得る物干し具を提案することにある。【解決手段】使用者が洗濯物35を干す際には、第１及び第２の主骨17及び20を展開することにより係止板部30により洗濯物を挟着保持し、洗濯物を取り外す際には、ハジキ19からスライド部材16を単に係止解除させるという簡単な操作をするだけで、各係止板部30にそれぞれ個別に挟着保持された洗濯物を一度に落下させることができ、その結果、使用者に対して係止板部30からそれぞれ個別に洗濯物を取り除くといった面倒な作業を省かせることがき、かくして洗濯物の取り込み作業の負担を軽減させ得る。【選択図】図４
0003114477.tif 000002
【実用新案登録請求の範囲】
【請求項１】
棒体の上部に一端が回動自在に設けられた放射状の延びる複数の第１の主骨と、
前記棒体に移動可能に設けられたスライド部材に連動して前記第１の主骨を上下動させる受骨と、
前記第１の主骨の他端にヒンジ部を介して連結され、前記第１の主骨と連動して折畳及び展開可能な第２の主骨と、
前記ヒンジ部に設けられ、前記第２の主骨の展開動作に応じて洗濯物を挟着保持する係止手段と、
前記第１及び第２の主骨の展開状態で前記スライド部材を係止するハジキとを備え、
前記ハジキの係止状態を解除すると、前記第１の主骨が下降するとともに、該第１の主骨に連動して前記第２の主骨が上方に折り畳まれることにより、前記係止手段の挟着保持状態が解除されることを特徴とする物干し具。
【請求項２】
前記棒体の先端部にはフックを備えることを特徴とする請求項１記載の物干し具。
【請求項３】
前記第１及び第２の主骨には、該第１及び第２の主骨全体を覆うようにシート材が設けられていることを特徴とする請求項１又は２記載の物干し具。
【考案の詳細な説明】
【技術分野】
【０００１】
この考案は物干し具に関し、例えば複数の洗濯物を同時に吊り下げて干す物干し具に適用して好適なものである。
【背景技術】
【０００２】
従来、所定形状のフレームに多数個の洗濯ばさみ（ピンチともいう）が所定間隔をおいて吊り下げられた物干し具が知られている（例えば、特許文献１参照）。
【特許文献１】特願２００２−３０１８７９号公報
【考案の開示】
【考案が解決しようとする課題】
【０００３】
ところが、かかる構成の物干し具では、洗濯ばさみに洗濯物が個別に挟持されていることから、当該洗濯物を取り込む際にはそれぞれ当該洗濯物を個別に洗濯ばさみから取り外す必要があり、洗濯物の取り込み作業が煩雑になるという問題があった。
【０００４】
そこで、本考案は以上の点を考慮してなされたもので、洗濯物の取り込み作業の負担を軽減させ得る物干し具を提案しようとするものである。
【課題を解決するための手段】
【０００５】
本考案の請求項１では、棒体の上部に一端が回動自在に設けられた放射状の延びる複数の第１の主骨と、前記棒体に移動可能に設けられたスライド部材に連動して前記第１の主骨を上下動させる受骨と、前記第１の主骨の他端にヒンジ部を介して連結され、前記第１の主骨と連動して折畳及び展開可能な第２の主骨と、前記ヒンジ部に設けられ、前記第２の主骨の展開動作に応じて洗濯物を挟着保持する係止手段と、前記第１及び第２の主骨の展開状態で前記スライド部材を係止するハジキとを備え、前記ハジキの係止状態を解除すると、前記第１の主骨が下降するとともに、該第１の主骨に連動して前記第２の主骨が上方に折り畳まれることにより、前記係止手段の挟着保持状態が解除されるものである。
【０００６】
本考案の請求項２では、前記棒体の先端部にはフックを備えるものである。
【０００７】
本考案の請求項３では、前記第１及び第２の主骨には、該第１及び第２の主骨全体を覆うようにシート材が設けられているものである。
【考案の効果】
【０００８】
本考案の請求項１によれば、使用者が洗濯物を干す際には、第１及び第２の主骨を展開することにより係止手段により洗濯物を挟着保持し、洗濯物を取り外す際には、ハジキからスライド部材を単に係止解除させるという簡単な操作をするだけで、各係止手段にそれぞれ個別に挟着保持された洗濯物を一度に落下させることができ、その結果、使用者に対して係止手段からそれぞれ個別に洗濯物を取り除くといった面倒な作業を省かせることがき、かくして洗濯物の取り込み作業の負担を軽減させ得る。
【０００９】
本考案の請求項２によれば、フックを設けたことにより、係止手段を介して挟着保持した洗濯物を物干し竿等に確実に掛けて干すことができる。
【００１０】
本考案の請求項３によれば、第１及び第２の主骨を展開させたとき、シート材によって洗濯物を覆うようにしたことにより、外部から洗濯物を比較的視認し難くさせることができる。またこの場合、シート材によって太陽光を遮断することができるので、太陽光を直接照射させることが好ましくない洗濯物についても簡単に陰干しさせることができる。さらに、洗濯物をシート材の下方で常時干すことができるので、雨雪等から洗濯物を守ることができる。
【考案を実施するための最良の形態】
【００１１】
以下、本考案における好ましい実施の形態について、添付図面を参照しながら説明する。
【００１２】
図１において、１は全体として物干し具としての折畳式物干し具を示し、当該折畳式物干し具１は、一方に伸縮自在に張り出し可能な棒体２と、この棒体２を中心に展開及び折畳可能に設けられた傘体３とからなる。棒体２には、その上端部に全体としてほぼ「Ｕ」字状でなるフック４が一体的に設けられており、このフック４によって例えば物干し竿等（図示せず）に吊り下げ可能に構成されている。
【００１３】
棒体２は、支持棒５が第１の引出棒６に嵌め込まれているとともに、第１の引出棒６が第２の引出棒７に嵌め込まれ、第１及び第２の引出棒６及び７がそれぞれスライド可能に構成されていることにより所定長さまで伸長し得る。
【００１４】
この場合、支持棒５には、図示しない弾性部材で常時外部に突出するように付勢力が与えられた第１の突起部８が下端近傍部の側面に設けられており、この第１の突起部８は第１の引出棒６の上端近傍部における側面に穿設された第１の位置決め孔９に嵌め込まれるように構成されている。
【００１５】
かくして、第１の引出棒６は、支持棒５から引き出されたとき、第１の突起部８が第１の位置決め孔９に嵌め込まれ、支持棒５から所定の長さ分引き出した位置で位置決めされ得る。
【００１６】
また、第１の引出棒６には、図示しない弾性部材で常時外部に突出するように付勢力が与えられた第２の突起部10が下端近傍部の側面に設けられており、この第２の突起部10は第２の引出棒７の上端近傍部における側面に穿設された第２の位置決め孔11に嵌め込まれるように構成されている。
【００１７】
かくして、第２の引出棒７は、第１の引出棒６から引き出されたとき、第２の突起部10が第２の位置決め孔11に嵌め込まれ、第１の引出棒７から所定の長さ分引き出した位置で位置決めされ得る。
【００１８】
図２、図３及び図４に示すように、傘体３は、支持棒５とフック４との間に固定された固定部15と、支持棒５に対してスライド自在に挿通されたスライド部材16とによって棒体２に支持されている。
【００１９】
固定部15には、支持棒５を中心に放射状に延びる複数の第１の主骨17が回動自在に設けられており、この第１の主骨17は、スライド部材16に回動自在に設けられた受骨18によって支持されている。
【００２０】
スライド部材16は、支持棒５に挿通可能な筒状でなり、図示しない弾性部材で常時外部に突出するように付勢力が与えられたハジキ19に係止可能に構成され、支持棒５の所定高さで位置決めされ得るようになされている。かくして、スライド部材16をハジキ19に係止させた場合には、第１の受骨18が押し上げられ、これに応じて第１、第２及び第３の主骨17、20及び21が展開し得るようになされている。
【００２１】
これに対してスライド部材16をハジキ19から係止解除した場合には、スライド部材16や受骨18、第１の主骨17の自重によって当該スライド部材16が支持棒５に沿って下降し得るように構成されており、スライド部材16及び受骨18が下降することにより第１、第２及び第３の主骨17、20及び21がほぼＮ字状に折り畳まれ得る。
【００２２】
ここで、第２の主骨には、その一端に第１の主骨17が第１のヒンジ部24を介して回動自在に設けられているとともに、受骨18に回動自在に設けられた補助骨23が第２のヒンジ部25を介して回動自在に設けられている。
【００２３】
この場合、第２の主骨20は、展開時、第２のヒンジ部25において、一端上面が補助骨23の端部下面に当接することにより、第１の主骨17に対する回動角度が規制され得るように構成されている。
【００２４】
因みに、この実施の形態の場合、第２の主骨20の他端には、第３の主骨21が回動自在に設けられている。この場合、第３の主骨21は、展開時、その一端下面が第２の主骨20の他端上面に当接することにより回動角度が規制され、当該第３の主骨21の先端が僅かに垂れ下がるように位置決めされ得る。
【００２５】
なお、この第３の主骨21には、補助骨23に取り付けられたワイヤ26が、第１の主骨17の貫通孔（図示せず）を挿通させて取り付けられており、折畳状態から展開状態に移行する際に補助骨23がワイヤ26を引っ張ることにより第３の主骨21を引っ張って展開させ得るように構成されている。
【００２６】
かかる構成に加えて、第２の主骨20の一端にはその端部から突出するように係止手段としての係止板部30が一体成形されており、図５に示すように、第１及び第２の主骨17及び20が展開したとき、当該係止板部30は、その先端部分を第１の主骨17の下面27に押し当て、洗濯物を挟着保持し得るようになされている。
【００２７】
係止板部30は、例えばアルミニウム等の金属から成形され、所定強度を保ち得るようになされており、先端部分にほぼＬ字状に折り曲げられた挟着部31を有する。この実施の形態の場合、挟着部31の先端面32は、ほぼ平坦状に形成され、第１の主骨17の下面27に密着し得るようになされている。
【００２８】
この場合、係止板部30は、第１及び第２の主骨17及び20の展開時、挟着部31の先端面が第１の主骨17の下面27に当接して下方に押圧されることにより弾性的に僅かに下方へ湾曲し、第１の主骨17との間で所定の挟着力が生じるように構成されている。
【００２９】
また、第１、第２及び第３の主骨17、20及び21には、展開時にこれら第１、第２及び第３の主骨17、20及び21の全体を覆うようにシート材33（図１）が張架されている。ここでシート材33は、ナイロン等の非透明なシート状物で形成されており、第１、第２及び第３の主骨17、20及び21の展開時に屋根部の機能を有するように構成されている。
【００３０】
なお、第１、第２及び第３の主骨17、20及び21は洗濯物35吊り下げられることから、当該第１、第２及び第３の主骨17、20及び21は例えばアルミニウム等の金属から成形され、所定強度を保ち得るようになされている。
【００３１】
以上の構成において、折畳式物干し具１を用いて洗濯物35を干す場合、まず使用者は第１及び第２の引出棒６及び７を支持棒５から引き出して棒体２を所定長さに伸長させる。続いて、支持棒５に沿ってスライド部材16を適宜上昇させ、係止板部30の挟着部31に洗濯物35を係止させ易いように所定の角度をつけ、この挟着部31に順次洗濯物35を係止させてゆく。
【００３２】
その後、この状態のまま、さらにスライド部材16を支持棒５に沿って上昇させることにより、ハジキ19にスライド部材16を係止させ、第１、第２及び第３の主骨17、20及び21を展開する。このとき、折畳式物干し具１では、係止板部30に係止された洗濯物35を、挟着部31の先端面32と第１の主骨17の下面27との間に挟着保持できる。
【００３３】
因みに、フック４を上方に位置した状態で係止板部30に洗濯物35を係止し難い場合には、フック４を下方に下げ上下方向を逆転させた後、この状態で第１、第２及び第３の主骨17、20及び21を僅かに展開させ、係止板部30と第１の主骨17の下面27との間に洗濯物35を載置して位置決めしてゆく。
【００３４】
そして、使用者は、この状態のままスライド部材16をハジキ19側（すなわち、この場合、下側にハジキ19が位置しているので下方側）に移動させることにより当該スライド部材16をハジキ19に係止し、第１、第２及び第３の主骨17、20及び21を展開する。
【００３５】
このとき、折畳式物干し具１では、係止板部30と第１の主骨17との間に位置決めされた洗濯物35を、挟着部31の先端面32と第１の主骨17の下面27との間に挟着保持できる。かくして、折畳式物干し具１では、フック４を上方にさせ、当該フック４を物干し竿に掛けることにより、係止板部30と第１の主骨17とで挟着保持した洗濯物35を落下させることなくシート材33の下方で干すことができる。
【００３６】
ここで、この実施の形態の場合、傘体３には、ほぼ中心位置から下方に延びる棒体２が設けられているとともに、この棒体２の下端部に拡幅部7A（図１）が設けられていることにより、折畳式物干し具１全体の重心を極力下げることができ、かくして安定した状態で洗濯物35を干すことができる。
【００３７】
また、この実施の形態の場合、係止板部30の先端面32と第１の主骨17の下面27との面状部分で洗濯物35を挟み込むようにしたことにより、洗濯物35に傷が付くことを防止できる。
【００３８】
そして、折畳式物干し具１では、展開時、第１、第２及び第３の主骨17、20及び21にシート材33が張架し、洗濯物35を覆うようにしたことにより、外部から洗濯物35を比較的視認し難くさせることができる。特にこの実施の形態の場合、第３の主骨21の先端が垂れ下がるように展開されるため、側部方向からも洗濯物35を比較的視認し難くさせることができる。
【００３９】
なお、この折畳式物干し具１では、展開時、第１の主骨17や第１の受骨18等に適宜洗濯物35を掛けることにより、さらに多くの洗濯物35を干すことができる。
【００４０】
一方、折畳式物干し具１から洗濯物35を取り外す場合、まず使用者はフック４を物干し竿から取り外し、ハジキ19からスライド部材16を係止解除する。
【００４１】
このとき、第１、第２及び第３の主骨17、20及び21は折り畳まれ、係止板部30が第１の主骨17の下面27から離れる。これにより係止板部30と第１の主骨17の下面27との間に挟着保持されていた洗濯物35は、その挟着保持状態が解除され、自身の自重によって係止板部30から外れて落下する。
【００４２】
このように、折畳式物干し具１では、ハジキ19からスライド部材16を単に係止解除させるだけで、各係止板部30にそれぞれ個別に挟着保持された洗濯物35を一度に落下させることができるので、使用者に対して係止板部30からそれぞれ個別に洗濯物35を取り除く作業を省かせることがきる。
【００４３】
また、仮にハジキ19からスライド部材16を係止解除させたときに洗濯物35が係止板部30から外れずに落下しなかった場合であっても、使用者はスライド部材16を支持棒５に沿って複数回上下動させることにより、全ての係止板部30を同時に振動させることができるので、係止板部30から全ての洗濯物35を容易に、かつ確実に取り外すことができ、かくして各係止板部30にそれぞれ個別に挟着保持された洗濯物35を一度に確実に落下させることができる。
【００４４】
また、折畳式物干し具１は、不使用時、スライド部材16を第１の引出棒６及び第２の引出棒７まで移動させて傘体３を折り畳むとともに、棒体２を短縮させることにより全体として小型化でき、かくして携帯性に優れ、使い勝手を向上させることができる。
【００４５】
以上の構成によれば、使用者が洗濯物35を干す際には、第２の主骨20の展開動作に応じて係止板部30により洗濯物35を挟着保持し、洗濯物35を取り外す際には、ハジキ19からスライド部材16を単に係止解除させるという簡単な操作をするだけで、各係止板部30にそれぞれ個別に挟着保持された洗濯物35を一度に落下させることができ、その結果、使用者に対して係止板部30からそれぞれ個別に洗濯物35を取り除くといった面倒な作業を省かせることがき、かくして洗濯物35の取り込み作業の負担を軽減させ得る。
【００４６】
また、フック４を設けたことにより、係止板部30を介して挟着保持した洗濯物35を物干し竿等に確実に掛けて干すことができる。
【００４７】
さらに、第１、第２及び第３の主骨17、20及び21を展開させたとき、シート材33によって洗濯物35を覆うようにしたことにより、外部から洗濯物35を比較的視認し難くさせることができる。またこの場合、シート材33によって太陽光を遮断することができるので、太陽光を直接照射させることが好ましくない洗濯物35についても簡単に陰干しさせることができる。さらに、洗濯物35をシート材33の下方で常時干すことができるので、雨雪等から洗濯物を守ることができる。
【００４８】
なお、本考案は、本実施の形態に限定されるものではなく、本考案の要旨の範囲内で種々の変形実施が可能である。例えば、上述した実施の形態においては、第１、第２及び第３の主骨17、20及び21にシート部材を設けるようにした場合について述べたが、本考案はこれに限らず、第１、第２及び第３の主骨17、20及び21にシート部材を設けずに、第１、第２及び第３の主骨17、20及び21のみから構成するようにしても良い。
【００４９】
また、上述した実施の形態においては、第１、第２及び第３の主骨17、20及び21の３つの骨組みで構成するようにした場合について述べたが、本考案はこれに限らず、要は第１及び第２の主骨17及び20で骨組みを構成すれば良く、第１及び第２の主骨17及び20の２つの骨組みや、４つの骨組み等種々の数の主骨で構成するようにしても良い。
【図面の簡単な説明】
【００５０】
【図１】本考案による物干し具の全体構成を示す斜視図である。
【図２】傘体の詳細構成（１）を示す側面図である。
【図３】傘体の詳細構成（２）を示す側面図である。
【図４】傘体の詳細構成（３）を示す側面図である。
【図５】係止板部と第１の主骨との間で洗濯物を挟着保持したときの様子を示す概略図である。
【符号の説明】
【００５１】
１  折畳式物干し具（物干し具）
２  棒体
４  フック
16  スライド部材
17  第１の主骨
18  受骨
19  ハジキ
20  第２の主骨
24  第１のヒンジ部（ヒンジ部）
30  係止板部（係止手段）
33  シート材
35  洗濯物
【図１】
0003114477.tif 000003
【図２】
0003114477.tif 000004
【図３】
0003114477.tif 000005
【図４】
0003114477.tif 000006
【図５】
0003114477.tif 000007